(57)【要約】【課題】ＨＤＣＰ認証に失敗した場合に、送信映像の解像度をそれまでより低くなるように設定変更して再度ＨＤＣＰ認証を行うことで、ＨＤＣＰ認証の成功確率を上げ、ＤＶＩテレビの画面に映像（画像）をいち早く表示する。【解決手段】制御部１は、ＤＶＩテレビ３０との接続設定に際し、映像及び音声の設定では最も解像度の高い映像信号及び音声信号を出力して接続設定を行い、この状態で次のＨＤＣＰ認証に失敗した場合には、当該ＨＤＣＰ認証を予め設定されている複数回繰り返し、複数回繰り返してもＨＤＣＰ認証に失敗した場合には、１段階下げた解像度の映像信号及び音声信号に切り換えて最初から接続設定をやり直す。【選択図】図１
2009027588.tif 000002
【特許請求の範囲】
【請求項１】
ＤＶＩ規格に準拠したデジタルビデオ信号の入出力端子であるＤＶＩ端子を有し、ＤＶＩ規格に準拠したＤＶＩテレビにＤＶＩケーブルを介して接続した状態で映像及び音声の設定と映像コンテンツの違法コピーを保護するＨＤＣＰ認証とを行う接続設定制御手段を備えた情報再生装置において、
前記接続設定制御手段は、前記ＤＶＩテレビとの接続設定に際し、映像及び音声の設定では最も解像度の高い映像信号及び音声信号を出力して接続設定を行い、この状態で次のＨＤＣＰ認証に失敗した場合には、当該ＨＤＣＰ認証を予め設定されている複数回繰り返し、複数回繰り返してもＨＤＣＰ認証に失敗した場合には、１段階下げた解像度の映像信号及び音声信号に切り換えて最初から接続設定をやり直す処理をＨＤＣＰ認証に成功するまで繰り返すことを特徴とする情報再生装置。
【請求項２】
ＤＶＩ規格に準拠したデジタルビデオ信号の入出力端子であるＤＶＩ端子を有し、ＤＶＩ規格に準拠したＤＶＩテレビにＤＶＩケーブルを介して接続した状態で映像及び音声の設定と映像コンテンツの違法コピーを保護するＨＤＣＰ認証とを行う接続設定制御手段を備えた情報再生装置において、
前記接続設定制御手段は、前記ＤＶＩテレビとの接続設定に際し、映像及び音声の設定では最も解像度の高い映像信号及び音声信号を出力して接続設定を行い、この状態で次のＨＤＣＰ認証に失敗した場合には、当該ＨＤＣＰ認証を予め設定されている複数回繰り返し、複数回繰り返してもＨＤＣＰ認証に失敗した場合には、最も解像度の低い映像信号及び音声信号に切り換えて最初から接続設定をやり直すことを特徴とする情報再生装置。
【請求項３】
前記ＨＤＣＰ認証の失敗回数と失敗したときの解像度とを認証履歴として、接続されたＤＶＩテレビごとに記憶する記憶手段を備えており、
前記接続設定制御手段は、ＤＶＩテレビとの接続設定に際し、前記記憶手段に一致するＤＶＩテレビの認証履歴があるか否かを確認し、認証履歴がある場合には、その認証履歴に基づいて接続設定の際の解像度を設定することを特徴とする請求項１に記載の情報再生装置。
【請求項４】
前記接続設定制御手段は、前記記憶手段に記憶されている認証履歴のうち、最高解像度での失敗回数が予め設定されている一定回数に満たない場合には、当該認証履歴を用いずに接続設定を行い、最高解像度でのＨＤＣＰ認証に成功した場合には、対応するＤＶＩテレビの認証履歴を前記記憶手段から削除することを特徴とする請求項３に記載の情報再生装置。
【請求項５】
前記接続設定制御手段は、前記認証履歴に基づいて、接続設定の際の解像度を失敗していない最高の解像度に設定することを特徴とする請求項３または請求項４に記載の情報再生装置。
【請求項６】
前記接続設定制御手段は、前記認証履歴に基づいて、接続設定の際の解像度を失敗している解像度の中で最低の解像度に設定することを特徴とする請求項３または請求項４に記載の情報再生装置。
【請求項７】
前記接続設定制御手段は、接続設定の際の解像度を失敗している解像度の中で最低の解像度に設定して接続設定を行った場合に、その解像度でＨＤＣＰ認証に成功した場合には、前記記憶手段に記憶されている認証履歴から当該解像度での失敗回数を削除することを特徴とする請求項６に記載の情報再生装置。
【発明の詳細な説明】
【技術分野】
【０００１】
本発明は、ＤＶＩ（Digital Visual Interface）規格に準拠したデジタルビデオ信号の入出力端子であるＤＶＩ端子を有し、ＤＶＩ規格に準拠したＤＶＩテレビにＤＶＩケーブルを介して接続した状態で映像及び音声の設定と映像コンテンツの違法コピーを保護するＨＤＣＰ（High-bandwidth Digital Content Protection）認証とを行う接続設定制御手段を備えた情報再生装置に関する。
【背景技術】
【０００２】
近時、ＤＶＩ規格に準拠したデジタルビデオ信号の入出力端子であるＤＶＩ端子を備えた情報機器（例えば、デジタルテレビ、ＤＶＤプレーヤ、ＤＶＤレコーダ、ＨＤＤレコーダ、ＨＤＤ内蔵型ＤＶＤレコーダ等）が提供されている。
【０００３】
これらの情報機器では、例えばデジタルテレビ（ＤＶＩテレビ）とＤＶＤレコーダ等とをＤＶＩケーブルで接続することで、デジタルビデオ信号をデジタルのままで送受信することができる。
【０００４】
一方、このようなＤＶＩ端子を持つＤＶＩテレビやＤＶＤレコーダ等では、デジタル信号で高画質、高解像度の映像を簡単に入手することができるため、映像コンテンツを違法コピーされる可能性も高まっている。そのため、このような映像コンテンツの違法コピーを防止するためのＨＤＣＰ認証機能を備えたＤＶＩテレビやＤＶＤレコーダ等が提供されている。
【０００５】
ＨＤＣＰ認証は、ＤＶＩテレビと例えばＤＶＤレコーダとがＤＶＩケーブルを介して接続されていることの確認を、ＤＶＤレコーダから映像を出力する前に行っている。このようなＨＤＣＰ認証は、一旦認証が行われた後は、例えば解像度を変更した場合やＤＶＩケーブルを抜き差しした場合など、一度映像が途切れる状況にならないと行われない。
【０００６】
このようなＨＤＣＰ認証機能を備えたＤＶＤレコーダをＤＶＩケーブルを介してＤＶＩテレビに接続した場合、ＤＶＤレコーダの接続設定制御手段は、より高画質の画像表示を実現させるために、まずは最も高い解像度（例えば、１０８０ｐ）の映像信号及び音声信号を出力して接続設定（ＡＶ設定）を行い、この接続状態で、ＤＶＩテレビからＨＤＣＰ認証に必要なキー情報を取得して、ＨＤＣＰ認証を行うようになっている。
【０００７】
この場合、従来のＤＶＩテレビでは、ＤＶＤレコーダ側が正しく映像を出力するための処理を行っているにもかかわらず、ＤＶＩテレビからＤＶＤレコーダ側に送信されるＨＤＣＰ認証用のキー情報に不具合が発生することがあった。そのため、このキー情報を用いてＨＤＣＰ認証を行った場合には、ＤＶＤレコーダ側で認証エラーが発生することになる。この認証エラーの発生確率は、ＤＶＩテレビ自体の性能にもよるが、一般的にはＡＶ設定時に出力されている映像信号の解像度が高いほど高くなる傾向にある。
【０００８】
その理由については定かではないが、ＤＶＤレコーダから映像信号を送信するときのクロック周波数がＤＶＩテレビ側での内部処理に何らかの影響を与えているものと考えられる。すなわち、本発明者は、ＨＤＣＰ認証時にＤＶＤレコーダ側からＤＶＩテレビに送信されている映像信号の解像度が低いほど（すなわち、クロック周波数が低いほど）、認証エラーの発生確率は低くなり、最も低い解像度である４８０ｐ（または４８０ｉ）では、認証エラーがほとんど発生しないことを実験等によって確認している。
【０００９】
このような認証エラーが発生した場合、従来のＤＶＤレコーダでは、認証が成功するまでそのエラーが発生した部分の処理を再度行っているが、それでも認証に失敗した場合には、その処理を繰り返し、結果、ＤＶＩテレビに画像が表示されないままになってしまうといった問題があった。
【００１０】
そこで、このような認証エラーの問題を解決する一つの手法として、ＤＶＩケーブルが接続されてＨＤＣＰ認証を開始したときに、ＨＤＣＰ認証に失敗した場合には、切換スイッチを切り換え制御して、内部接続をＤＶＩ端子からコンポジット信号またはコンポーネント信号の入力端子であるアナログ入力端子に切り換えるようにしたテレビジョン受信装置が提案されている（例えば、特許文献１参照）。また、このテレビジョン受信装置は、アナログ入力端子に切り換えて画像出力を確保した状態で、再度ＨＤＣＰ認証を行うことで、ＨＤＣＰ認証の成功確率を上げるようにも工夫されている。
【特許文献１】特開２００６−５０１７０号公報
【発明の開示】
【発明が解決しようとする課題】
【００１１】
しかし、特許文献１の手法はあくまで認証に失敗した場合に入力をデジタルからアナログに切り換えることによって画像出力を確保することが主目的であり、ＨＤＣＰ認証自体を成功させる工夫がされているものではない。一方、認証の成功確率を上げる工夫として、ＨＤＣＰ認証のリトライを行っているが、単にリトライを繰り返すだけでは、ＨＤＣＰ認証の成功確率を上げることは難しく、何らかの条件を変更する等の具体策が必要である。さらに、特許文献１のものは、ＤＶＩテレビ側の処理であり、例えばこのＤＶＩテレビにＨＤＣＰ認証機能を備えたＤＶＤレコーダを接続した場合の当該ＤＶＤレコーダ側でのＨＤＣＰ認証については何ら示されていない。
【００１２】
ここで、上記したように、ＨＤＣＰ認証時にＤＶＤレコーダ側からＤＶＩテレビに送信されている映像信号の解像度が低いほど、認証エラーの発生確率は低くなり、最も低い解像度である４８０ｐ（または４８０ｉ）では、認証エラーがほとんど発生しないことが分かっている。
【００１３】
本発明はかかる点に着目して創案されたもので、その目的は、ＨＤＣＰ認証に失敗した場合に、送信映像の解像度をそれまでより低くなるように設定変更して再度ＨＤＣＰ認証を行うことで、ＨＤＣＰ認証の成功確率を上げ、ＤＶＩテレビの画面に映像（画像）をいち早く表示することのできる情報再生装置を提供することにある。
【課題を解決するための手段】
【００１４】
上記課題を解決するため、本発明の情報再生装置は、ＤＶＩ規格に準拠したデジタルビデオ信号の入出力端子であるＤＶＩ端子を有し、ＤＶＩ規格に準拠したＤＶＩテレビにＤＶＩケーブルを介して接続した状態で映像及び音声の設定と映像コンテンツの違法コピーを保護するＨＤＣＰ認証とを行う接続設定制御手段を備えた情報再生装置において、前記接続設定制御手段は、前記ＤＶＩテレビとの接続設定に際し、映像及び音声の設定では最も解像度の高い映像信号及び音声信号を出力して接続設定を行い、この状態で次のＨＤＣＰ認証に失敗した場合には、当該ＨＤＣＰ認証を予め設定されている複数回繰り返し、複数回繰り返してもＨＤＣＰ認証に失敗した場合には、１段階下げた解像度の映像信号及び音声信号に切り換えて最初から接続設定をやり直す処理をＨＤＣＰ認証に成功するまで繰り返すことを特徴としている。
【００１５】
すなわち、本発明によれば、まずは最も解像度の高い（すなわち、１０８０ｐの解像度）映像信号及び音声信号を出力することによって、高画質での画像表示を目指す。その結果、次のＨＤＣＰ認証に失敗した場合には、当該ＨＤＣＰ認証を予め設定されている複数回（例えば、５回等）繰り返し、５回繰り返してもＨＤＣＰ認証に失敗した場合には、その時点で１段階下げた解像度（例えば、７２０ｐ）の映像信号及び音声信号に切り換えて最初から接続設定をやり直す。そして、７２０ｐでもＨＤＣＰ認証に失敗した場合には、さらに１段階下げた解像度（例えば、４８０ｐ）の映像信号及び音声信号に切り換えて最初から接続設定をやり直す。ここで、４８０ｐは最も低い解像度であり、通常、この解像度ではＨＤＣＰ認証にほとんど成功する。従って、４８０ｐでＨＤＣＰ認証に成功した場合には、以後、この４８０ｐの解像度で情報再生装置からＤＶＩテレビにデジタルビデオ信号を送信することになる。
【００１６】
この場合、前記ＨＤＣＰ認証の失敗回数と失敗したときの解像度とを認証履歴として、接続されたＤＶＩテレビごとに記憶する記憶手段をさらに備えていてもよい。そして、前記接続設定制御手段は、ＤＶＩテレビとの接続設定に際し、前記記憶手段に一致するＤＶＩテレビの認証履歴があるか否かを確認し、認証履歴がある場合には、その認証履歴に基づいて接続設定の際の解像度を設定するように構成してもよい。
【００１７】
また、前記接続設定制御手段は、前記記憶手段に記憶されている認証履歴のうち、最高解像度での失敗回数が予め設定されている一定回数（例えば、３回等）に満たない場合には、当該認証履歴を用いずに接続設定を行い、最高解像度でのＨＤＣＰ認証に成功した場合には、対応するＤＶＩテレビの認証履歴を前記記憶手段から削除するように構成してもよい。すなわち、同じ解像度であっても、そのときの接続状態等によってＨＤＣＰ認証に成功したり、失敗したりする。すなわち、最高解像度でのＨＤＣＰ認証に１回失敗しても、２回目に成功する場合もある。そのような場合に、最初の１回の失敗に基づいて２回目のＨＤＣＰ認証時の解像度をいきなり下げるのは必ずしも得策ではない。従って、本発明では、過去に一定回数（本発明では、３回）失敗していることを確認した場合にのみ、認証履歴を用いて解像度を下げるようにするものである。この場合、２回目等に認証に成功した場合には、先の１回目の失敗回数の履歴を記憶手段から削除する構成としているので、常に高解像度でのＨＤＣＰ認証が可能となり、接続後のＤＶＩテレビに表示する画像をできる限り高画質に維持することが可能となる。
【００１８】
ここで、記憶手段に記憶されている認証履歴に基づいて接続設定の際の解像度を設定する手法として、以下の２つの手法が可能である。
【００１９】
第１の手法として、前記接続設定制御手段は、前記認証履歴に基づいて、接続設定の際の解像度を失敗していない最高解像度に設定する。例えば、認証履歴が解像度１０８０ｐでの失敗を示している場合には、その次の解像度である７２０ｐに設定してＨＤＣＰ認証を行う。これにより、最初からＨＤＣＰ認証に成功する確率が高くなる。
【００２０】
また、第２の手法として、前記接続設定制御手段は、前記認証履歴に基づいて、接続設定の際の解像度を失敗している解像度の中で最低の解像度に設定する。例えば、認証履歴が解像度１０８０ｐでの失敗と７２０ｐでの失敗を示している場合には、解像度を７２０ｐに設定してＨＤＣＰ認証を行う。上記したように、ＨＤＣＰ認証は、そのときの接続状態等によって成功したり、失敗したりするため、まずは失敗した中でも、最も成功する確率の高い解像度でＨＤＣＰ認証を行うようにしている。これにより、より高い解像度でのＨＤＣＰ認証に成功する確率が高くなる。この場合、前記接続設定制御手段は、接続設定の際の解像度を失敗している解像度の中で最低の解像度に設定して接続設定を行った場合に、その解像度でＨＤＣＰ認証に成功した場合には、前記記憶手段に記憶されている認証履歴から当該解像度での失敗回数を削除する構成とする。すなわち、１回目に失敗しても２回目に成功したということは、その後も同じ解像度で成功する可能性が高いことを示しているので、この場合には、いつまでも失敗として履歴を残さずに記憶手段から削除する構成としている。これにより、より高い解像度でＨＤＣＰ認証を行うことが可能となる。
【００２１】
また、本発明の情報再生装置は、ＤＶＩ規格に準拠したデジタルビデオ信号の入出力端子であるＤＶＩ端子を有し、ＤＶＩ規格に準拠したＤＶＩテレビにＤＶＩケーブルを介して接続した状態で映像及び音声の設定と映像コンテンツの違法コピーを保護するＨＤＣＰ認証とを行う接続設定制御手段を備えた情報再生装置において、前記接続設定制御手段は、前記ＤＶＩテレビとの接続設定に際し、映像及び音声の設定では最も解像度の高い映像信号及び音声信号を出力して接続設定を行い、この状態で次のＨＤＣＰ認証に失敗した場合には、当該ＨＤＣＰ認証を予め設定されている複数回繰り返し、複数回繰り返してもＨＤＣＰ認証に失敗した場合には、最も解像度の低い映像信号及び音声信号に切り換えて最初から接続設定をやり直すことを特徴としている。本発明によれば、まずは最も解像度の高い（すなわち、１０８０ｐの解像度の）映像信号及び音声信号を出力することによって、高画質での画像表示を目指す。その結果、その解像度でＨＤＣＰ認証に複数回（例えば、３回）失敗した場合には、その時点で最も解像度の低い４８０ｐ（または４８０ｉ）の映像信号及び音声信号に切り換えて最初から接続設定をやり直す。通常、この解像度ではＨＤＣＰ認証にほとんど成功する。従って、本発明によれば、より迅速かつ確実にＨＤＣＰ認証に成功することになる。
【発明の効果】
【００２２】
本発明によれば、ＤＶＩテレビへの接続時、最も解像度の高い映像信号及び音声信号を出力することによって、高画質での画像表示を目指す一方、その解像度でのＨＤＣＰ認証に複数回連続して失敗した場合には、その時点で１段階下げた解像度若しくは最も低い解像度の映像信号及び音声信号に切り換えて最初から接続設定をやり直す構成としたので、ＨＤＣＰ認証を確実かつ迅速に成功させることができる。その結果、ＤＶＩテレビに確実に画像を表示できるので、ＨＤＣＰ認証の失敗によっていつまでたっても画像がＤＶＩテレビに表示されないことによるユーザの不安や不快感を解消することができる。
【発明を実施するための最良の形態】
【００２３】
以下、本発明の実施の形態について、図面を参照して説明する。
【００２４】
図１は、本発明の情報再生装置をハードディスク（ＨＤ）内蔵型ＤＶＤレコーダに適用した場合の電気的構成を示す機能ブロック図である。ただし、本発明の情報再生装置は、単なるＤＶＤプレーヤやＤＶＤレコーダにも適用可能である。
【００２５】
本実施形態のＨＤ内蔵型ＤＶＤレコーダは、制御部１、テレビ番組等のデジタル信号（番組情報）を受信するアンテナ２に接続されたチューナ３、信号処理部４、外部記録媒体であるＤＶＤ（Digital Versatile Disk）２０の着脱が可能なディスク読書部５、リモコン１５からのコントロール信号を受信するリモコン受信部６、表示部７、操作部８、内蔵の記録媒体であるハードディスク（ＨＤ）９、記憶部１１からなり、ＤＶＩ規格に準拠したデジタルビデオ信号の入出力端子であるＤＶＩ端子４ａを備え、ＤＶＩ規格に準拠したＤＶＩテレビ３０のＤＶＩ端子３０ａとＤＶＩケーブル４０を介して接続可能な構成となっている。また、本実施形態のＨＤＤ内蔵型ＤＶＤレコーダは、ＤＶＩテレビ３０とＤＶＩケーブル４０を介して接続した状態で、映像及び音声の設定と映像コンテンツの違法コピーを保護するＨＤＣＰ認証とを行う構成となっている。
【００２６】
制御部１は、ＣＰＵ１ａ、メモリ部１ｂ、及び後述するＨＤＣＰ認証の失敗回数をカウントするカウンタ１ｃ等から構成されている。メモリ部１ｂは、本コレーダの各種動作プログラムが格納されたＲＯＭ、動作時には種々のデータの一時保存やワークエリアとして働くＲＡＭ等からなる。また、ＲＯＭには、本レコーダがＤＶＩケーブル４０を介してＤＶＩテレビ３０と接続された場合に、ＤＶＩテレビ３０との接続設定（映像及び音声の設定やＨＤＣＰ認証等）を行うための処理プログラムも格納されている。チューナ３は、アンテナ２で受信した放送信号から映像を含んだデジタル信号を抽出する。信号処理部４は、デジタルの信号処理回路から構成されている。この信号処理部４は、チューナ３から入力されるデジタル信号をＤＶＩテレビ３０に出力したり、ディスク読書部５や制御部１に出力する。
【００２７】
ディスク読書部５は、ピックアップやピックアップ駆動回路やディスク駆動回路等から構成されている。このディスク読書部５は、信号処理部４から出力されるデータをＤＶＤ２０に記録したり、ＤＶＤ２０に記録されているデータを読み込んで信号処理部４に出力したりする。信号処理部４は、ディスク読書部５から出力されるＤＶＤ２０のデータを再生してＤＶＩテレビ３０に出力する。また、信号処理部４は、ＯＳＤ回路を備えており、制御部１からの制御により、ＤＶＩテレビ３０のモニタにメニュー画面等の表示を行うようになっている。ＤＶＩテレビ３０は信号処理部４から出力されるデジタル信号に基づいてＣＲＴ等のモニタに映像を映し出し、スピーカから音声を出力する。
【００２８】
表示部７は、現在時刻を含む各種時間や本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００２９】
記憶部１１は、ＥＥＰＲＯＭやフラッシュメモリ等の不揮発性メモリからなり、ＨＤＣＰ認証の失敗回数と失敗したときの解像度とを認証履歴として、接続されたＤＶＩテレビ３０ごとに記憶するが、これについては後述する。
【００３０】
リモコン１５と操作部８には、図示は省略しているが、再生、録画、早送り、巻戻し、及び停止といった本レコーダ１００の動作を指示するために操作するキーが設けられている。また、録画予約（タイマー録画）を設定するための録画キー等も設けられている。
【００３１】
制御部１は、例えばリモコン１５の電源キーがオンされ、記録媒体として例えば内蔵のハードディスク９が選択されて、録画キーが操作されると、外部からアンテナ２とチューナ３を通じて入力され、信号処理部４で圧縮処理された番組情報のデータを、ハードディスク９に記録する。このとき、同時再生（すなわち、ＤＶＩテレビ３０での視聴）が選択されている場合には、記録と同時に再生し、再生したデータを信号処理部４によって処理した後、ＤＶＩテレビ３０に出力する。これにより、録画中のテレビ番組がＤＶＩテレビ３０のモニタに映像として映し出され、スピーカから音声として出力される。また、制御部１は、リモコン１５の録画キーが操作されたり、予め設定された録画予約の録画開始時刻になると、チューナ３によって受信され、信号処理部４で圧縮処理された番組情報のデータを、ハードディスク９に記録して保存する。
【００３２】
さらに、制御部１は、本レコーダがＤＶＩケーブル４０を介してＤＶＩテレビ３０と接続され、本レコーダとＤＶＩテレビ３０の電源が共にオンされた場合等に、ＤＶＩテレビ３０との接続設定（映像及び音声の設定やＨＤＣＰ認証等）を行うのであるが、本発明は、この接続設定時の処理に特徴を有している。以下、この接続設定処理の各種実施例について具体的に説明する。ただし、本実施形態では、本レコーダが出力解像度として、４８０ｉ、４８０ｐ、７２０ｐ、１０８０ｉ、１０８０ｐの５種類の出力解像度を有しているものとするが、ここでは、４８０ｐ、７２０ｐ、１０８０ｐのプログレッシブ方式に関する３種類の出力解像度を用いて説明を行うものとする。
【００３３】
＜実施例１＞
本実施例１は、ＨＤＣＰ認証に失敗した場合に、解像度を段階的に下げてＨＤＣＰ認証を行う実施例である。以下、図２に示すフローチャートを参照して本実施例１の接続設定処理動作を説明する。
【００３４】
本レコーダとＤＶＩテレビ３０とがＤＶＩケーブル４０を介して接続され、本レコーダとＤＶＩテレビ３０が共に電源オンされると、本レコーダは、ＤＶＩテレビ３０との接続設定を開始する。
【００３５】
すなわち、制御部１は、ＤＶＩテレビ３０に対して最も解像度の高い映像信号及び音声信号を出力して、映像及び音声の設定（ＡＶ設定）を行う（ステップＳ１）。具体的には、制御部１は、まず最初に１０８０ｐの解像度で映像信号及び音声信号をＤＶＩテレビ３０に出力して、映像及び音声のＡＶ設定を行うことになる。
【００３６】
次に、制御部１は、この接続状態において、ＨＤＣＰ認証を行う（ステップＳ２）。すなわち、ＤＶＩケーブル４０を介してＤＶＩテレビ３０にＨＤＣＰ認証用のキー情報の送信を要求する。ＤＶＩテレビ３０は、この送信要求に対し、自らが保持している認証用のキー情報をＤＶＩケーブル４０を介して本レコーダに送信する。制御部１は、このキー情報を受信すると、自らが保持しているキー情報と受信したキー情報とに基づいてＨＤＣＰ認証を行う。なお、ＨＤＣＰ認証処理については従来周知の処理であるのでここでは詳細な説明を省略する。そして、認証が成功したか否かを判断する（ステップＳ３）。
【００３７】
その結果、認証に成功した場合（ステップＳ３でＹｅｓと判断された場合）には、認証時の出力解像度（この場合は、１０８０ｐ）で以後の処理を開始する（ステップＳ９）。
【００３８】
一方、認証に失敗した場合（ステップＳ３でＮｏと判断された場合）には、最高解像度でのＨＤＣＰ認証を内部に予め設定されている所定回数行ったか否かを判断し（ステップＳ４）、所定回数行っていない場合（ステップＳ４でＮｏと判断された場合）には、ステップＳ２に戻って、同じ最高解像度でのＨＤＣＰ認証を再度行う。ここで、所定回数として、本実施形態では５回が設定されているものとする。
【００３９】
制御部１は、このようなステップＳ２，ステップＳ３の処理を５回繰り返しても認証に失敗した場合（ステップＳ３でＮｏ、ステップＳ４でＹｅｓと判断された場合）には、この時点で、本レコーダの出力解像度を１段階下げた映像信号及び音声信号に切り換えて、最初から接続設定をやり直す。すなわち、ＤＶＩテレビ３０に対して１段階下げた解像度である７２０ｐの映像信号及び音声信号を出力して、映像及び音声の設定（ＡＶ設定）を行う（ステップＳ５）。
【００４０】
次に、制御部１は、この接続状態において、ＨＤＣＰ認証を行い（ステップＳ６）、認証が成功したか否かを判断する（ステップＳ７）。その結果、認証に成功した場合（ステップＳ７でＹｅｓと判断された場合）には、認証時の出力解像度（この場合は、７２０ｐ）で以後の処理を開始する（ステップＳ９）。
【００４１】
一方、認証に失敗した場合（ステップＳ７でＮｏと判断された場合）には、認証時の出力解像度が最も低い解像度（すなわち、４８０ｐ）であるか否かを確認し（ステップＳ８）、最低解像度（４８０ｐ）でない場合（ステップＳ８でＮｏと判断された場合）には、ステップＳ５に戻り、この時点で、本レコーダの出力解像度をさらに１段階下げた映像信号及び音声信号に切り換えて、最初から接続設定をやり直す。すなわち、ＤＶＩテレビ３０に対してさらに１段階下げた解像度である４８０ｐの映像信号及び音声信号を出力して、映像及び音声の設定（ＡＶ設定）を行う（ステップＳ５）。
【００４２】
次に、制御部１は、この接続状態において、ＨＤＣＰ認証を行い（ステップＳ６）、認証が成功したか否かを判断する（ステップＳ７）。その結果、認証に成功した場合（ステップＳ７でＹｅｓと判断された場合）には、認証時の出力解像度（この場合は、４８０ｐ）で以後の処理を開始する（ステップＳ９）。
【００４３】
一方、認証に失敗した場合（ステップＳ７でＮｏと判断された場合）には、認証時の出力解像度が最も低い解像度（４８０ｐ）であるか否かを確認する（ステップＳ８）。この場合は、最低解像度の４８０ｐであるので（ステップＳ８でＹｅｓと判断されるので）、ステップＳ１０に進み、ユーザに対して認証エラーを表示する。この表示は、ＤＶＩテレビ３０の画面に表示してもよいし、本レコーダの表示部７に表示してもよい。通常、最低解像度でＨＤＣＰ認証を行った場合、ほとんどは認証に成功するのであるが、何らかの理由によって失敗した場合には、ステップＳ１０の処理に進むことになる。
【００４４】
このように、本実施例１では、最高解像度から１段階ずつ解像度を下げながらＨＤＣＰ認証を行うので、ＨＤＣＰ認証時により高い解像度での通信を確保することが可能となる。
【００４５】
＜実施例２＞
本実施例２は、上記実施例１の接続設定処理を行った際のＨＤＣＰ認証の失敗回数と失敗したときの解像度とを認証履歴として、接続されたＤＶＩテレビ３０ごとに記憶部１１に記憶し、この認証履歴を用いて接続設定処理を行う実施例である。
【００４６】
（１）認証履歴の記憶処理の説明
まず、上記実施例１の接続設定処理を行った際のＨＤＣＰ認証の失敗回数と失敗したときの解像度とを認証履歴として、接続されたＤＶＩテレビ３０ごとに記憶部１１に記憶する処理について説明する。
【００４７】
図３は、認証履歴を記憶する記憶部１１の認証履歴テーブルの構成例を示している。この認証履歴テーブルは、テレビコード、失敗したときの解像度、そのときの失敗回数の各項目からなっている。ここで、テレビコードについては、ＤＶＩテレビにはそれぞれ固有のコードが付与されているので、接続設定時にこのコードをＤＶＩテレビから取得することで、接続されているＤＶＩテレビを判別することが可能である。
【００４８】
上記構成において、例えばテレビコード「０１」のＤＶＩテレビ３０に本レコーダを接続して上記実施例１の接続設定処理を行った結果、例えば１０８０ｐでの認証に失敗（この場合の失敗は、連続５回失敗した場合のことである）し、次の７２０ｐで認証に成功した場合には、図３（ａ）に示すようなデータが認証履歴テーブルに格納（記憶）される。
【００４９】
この後、同じ接続状態でＤＶＩテレビ３０と本レコーダの両方の電源をオフし、再びオンする等して上記実施例１の接続設定処理を行った結果、例えば１０８０ｐでの認証に失敗し、次の７２０ｐで認証に成功した場合には、図３（ｂ）に示すようなデータが認証履歴テーブルに格納（記憶）される。すなわち、図３（ａ）と比べると、失敗回数が１回から２回に更新されている。
【００５０】
さらに、同じ接続状態でＤＶＩテレビ３０と本レコーダの両方の電源をオフし、再びオンする等して上記実施例１の接続設定処理を行った結果、例えば１０８０ｐでの認証に失敗し、次の７２０ｐでも認証に失敗し、次の４８０ｐで認証に成功した場合には、図３（ｃ）に示すようなデータが認証履歴テーブルに格納（記憶）される。すなわち、図３（ｂ）と比べると、１０８０ｐの失敗回数が２回から３回に更新され、新たに７２０ｐの失敗回数１回が追加されている。
【００５１】
さらに、同じ接続状態でＤＶＩテレビ３０と本レコーダの両方の電源をオフし、再びオンする等して上記実施例１の接続設定処理を行った結果、例えば１０８０ｐでの認証に失敗し、次の７２０ｐでの認証に成功した場合には、図３（ｄ）に示すようなデータが認証履歴テーブルに格納（記憶）される。すなわち、図３（ｃ）と比べると、１０８０ｐの失敗回数が３回から４回に更新され、７２０ｐの失敗回数が削除されている。なお、このときの認証で、１０８０ｐでの認証に成功した場合には、テレビコード「１０」自体のデータが認証履歴テーブルから削除されることになる。
【００５２】
（２）上記認証履歴テーブルを用いた接続設定処理の説明。
【００５３】
以下、図４に示すフローチャートを参照して本実施例２の接続設定処理動作を説明する。
【００５４】
本レコーダとＤＶＩテレビ３０とがＤＶＩケーブル４０を介して接続され、本レコーダとＤＶＩテレビ３０が共に電源オンされると、本レコーダは、ＤＶＩテレビ３０との接続設定を開始する。
【００５５】
すなわち、制御部１は、まず記憶部１１の認証履歴テーブルを参照して、現在接続されているＤＶＩテレビ３０から取得したテレビコードが認証履歴テーブルに格納されているいずれかのコードと一致するか否かを確認する（ステップＳ２１）。その結果、一致するコードが無かった場合（ステップＳ２１でＮｏと判断された場合）には、接続されたＤＶＩテレビ３０が新たなＤＶＩテレビであるのか、１０８０ｐの解像度でＨＤＣＰ認証に常に成功しているＤＶＩテレビであるので、この場合はステップＳ３２へ進み、上記実施例１と同様の図２に示す処理を行う。
【００５６】
一方、一致するテレビコードがある場合（ステップＳ２１でＹｅｓと判断された場合）には、そのテレビコードに格納されている認証履歴を参照し、そのテレビコードに対する最高解像度での失敗回数が一定回数に達しているか否かを確認する（ステップＳ２２）。ここで、一定回数は任意に設定可能であるが、ここでは例えば３回に設定されているものとする。この設定は、出荷段階で予め設定されていてもよいし、ユーザによって任意に設定可能としてもよい。
【００５７】
その結果、最高解像度での失敗回数が一定回数に達していない場合（ステップＳ２２でＮｏと判断された場合）には、ステップＳ３２へ進み、上記実施例１と同様の図２に示す処理を行う。すなわち、失敗回数が一定回数に達するまでは最高解像度でのＨＤＣＰ認証を行うことによって、できるだけ高解像度（高画質）での通信が確保できるようにしている。また、一定回数までは上記実施例１の処理を行うことによって、図３に示すような認証履歴が蓄積されることになる。
【００５８】
一方、最高解像度での失敗回数が一定回数に達している場合（ステップＳ２２でＹｅｓと判断された場合）には、出力解像度を失敗していない最高の解像度に設定して映像信号及び音声信号を出力し、映像及び音声の設定（ＡＶ設定）を行う（ステップＳ２３）。例えば、テレビコード「０１」に格納されている認証履歴データが図３（ｄ）に示すデータである場合には、失敗していない最高の出力解像度は７２０ｐであるので、この７２０ｐの映像信号と音声信号とを出力する。
【００５９】
次に、制御部１は、この接続状態において、ＨＤＣＰ認証を行う（ステップＳ２４）。その結果、認証に成功した場合（ステップＳ２５でＹｅｓと判断された場合）には、認証時の出力解像度（この場合は、７２０ｐ）で以後の処理を開始する（ステップＳ３０）。
【００６０】
一方、認証に失敗した場合（ステップＳ２５でＮｏと判断された場合）には、この時点で、本レコーダの出力解像度を１段階下げた映像信号及び音声信号に切り換えて、最初から接続設定をやり直す。すなわち、ＤＶＩテレビ３０に対して１段階下げた解像度である４８０ｐの映像信号及び音声信号を出力して、映像及び音声の設定（ＡＶ設定）を行う（ステップＳ２６）。
【００６１】
次に、制御部１は、この接続状態において、ＨＤＣＰ認証を行い（ステップＳ２７）、認証が成功したか否かを判断する（ステップＳ２８）。その結果、認証に成功した場合（ステップＳ２８でＹｅｓと判断された場合）には、認証時の出力解像度（この場合は、４８０ｐ）で以後の処理を開始する（ステップＳ３０）。
【００６２】
一方、認証に失敗した場合（ステップＳ２８でＮｏと判断された場合）には、認証時の出力解像度が最も低い解像度（４８０ｐ）であるか否かを確認し（ステップＳ２９）、最低解像度（４８０ｐ）でない場合（ステップＳ２９でＮｏと判断された場合）には、ステップＳ２６に戻り、この時点で、本レコーダの出力解像度をさらに１段階下げた映像信号及び音声信号に切り換えて、最初から接続設定をやり直す。ただし、本実施例２では、解像度がすでに最低解像度の４８０ｐになっているので、ステップＳ２９でＹｅｓと判断され、ステップＳ３１に進み、ユーザに対して認証エラーを表示する。
【００６３】
このように、本実施例２では、認証履歴を参照して、接続されているＤＶＩテレビに対応した最適な出力解像度を最初から設定できるので、ＨＤＣＰ認証を迅速に完了させることができる。
【００６４】
なお、上記実施例２では、認証履歴に基づいて、接続設定の際の解像度を、失敗していない最高の出力解像度に設定して映像信号と音声信号とを出力する構成としているが、認証履歴に基づいて、接続設定の際の解像度を、失敗している解像度の中で最低の解像度に設定して映像信号と音声信号とを出力する構成としてもよい。
【００６５】
具体的には、例えば認証履歴データが図３（ｃ）に示すデータである場合には、ステップＳ２３での処理を、失敗している解像度の中で最低の解像度である７２０ｐに設定して映像信号と音声信号とを出力し、映像及び音声の設定（ＡＶ設定）を行う。上記したように、ＨＤＣＰ認証は、そのときの接続状態等によって成功したり、失敗したりするため、まずは失敗した中で、最も成功する確率の高い解像度（すなわち、失敗している解像度の中で最低の解像度）でＨＤＣＰ認証を行うようにしている。これにより、より高い解像度でのＨＤＣＰ認証に成功する確率が高くなる。
【００６６】
＜実施例３＞
本実施例３は、ＨＤＣＰ認証に失敗した場合に、出力解像度を最も低い解像度にしてＨＤＣＰ認証を行う実施例である。すなわち、本実施例３は、記憶部１１の認証履歴データを用いない実施例である。以下、図５に示すフローチャートを参照して本実施例３の接続設定処理動作を説明する。
【００６７】
本レコーダとＤＶＩテレビ３０とがＤＶＩケーブル４０を介して接続され、本レコーダとＤＶＩテレビ３０が共に電源オンされると、本レコーダは、ＤＶＩテレビ３０との接続設定を開始する。
【００６８】
すなわち、制御部１は、ＤＶＩテレビ３０に対して最も解像度の高い映像信号及び音声信号を出力して、映像及び音声の設定（ＡＶ設定）を行う（ステップＳ４１）。
【００６９】
ここで、制御部１は、まず最初に１０８０ｐの解像度で映像信号及び音声信号をＤＶＩテレビ３０に出力して、映像及び音声のＡＶ設定を行うことになる。
【００７０】
次に、制御部１は、この接続状態において、ＨＤＣＰ認証を行い（ステップＳ４２）、認証が成功したか否かを判断する（ステップＳ４３）。
【００７１】
その結果、認証に成功した場合（ステップＳ４３でＹｅｓと判断された場合）には、認証時の出力解像度（この場合は、１０８０ｐ）で以後の処理を開始する（ステップＳ４８）。
【００７２】
一方、認証に失敗した場合（ステップＳ４３でＮｏと判断された場合）には、最高解像度でのＨＤＣＰ認証を内部に予め設定されている所定回数（例えば、５回）行ったか否かを判断し（ステップＳ４４）、所定回数行っていない場合（ステップＳ４４でＮｏと判断された場合）には、ステップＳ４２に戻って、同じ最高解像度でのＨＤＣＰ認証を再度行う。
【００７３】
制御部１は、このようなステップＳ４２，ステップＳ４３の処理を５回繰り返しても認証に失敗した場合（ステップＳ４３でＮｏ、ステップＳ４４でＹｅｓと判断された場合）には、この時点で、本レコーダの出力解像度を最も低い解像度の映像信号及び音声信号に切り換えて、最初から接続設定をやり直す。すなわち、ＤＶＩテレビ３０に対して最も低い解像度である４８０ｐの映像信号及び音声信号を出力して、映像及び音声の設定（ＡＶ設定）を行う（ステップＳ４５）。
【００７４】
次に、制御部１は、この接続状態において、ＨＤＣＰ認証を行い（ステップＳ４６）、認証が成功したか否かを判断する（ステップＳ４７）。その結果、認証に成功した場合（ステップＳ４７でＹｅｓと判断された場合）には、認証時の出力解像度（すなわち、４８０ｐ）で以後の処理を開始する（ステップＳ４８）。
【００７５】
一方、認証に失敗した場合（ステップＳ４７でＮｏと判断された場合）には、ステップＳ４９に進み、ユーザに対して認証エラーを表示する。
【００７６】
このように、本実施例３では、最高解像度から最低解像度に切り換えてＨＤＣＰ認証を行うので、ＨＤＣＰ認証をより迅速かつ確実に成功させることが可能となる。
【００７７】
なお、上記実施例１，２では、出力解像度として１０８０ｐ，７２０ｐ，４８０ｐの３種類を用いて説明しており、１０８０ｉと４８０ｉは省略しているが、もちろん１０８０ｉと４８０ｉを含めた５段階で出力解像度を切り換えていくようにしてもよい。
【図面の簡単な説明】
【００７８】
【図１】本発明の情報再生装置をハードディスク（ＨＤ）内蔵型ＤＶＤレコーダに適用した場合の電気的構成を示す機能ブロック図である。
【図２】ＨＤＣＰ認証に失敗した場合に、解像度を段階的に下げてＨＤＣＰ認証を行う実施例１の処理動作を説明するためのフローチャートである。
【図３】記憶部に記憶されている認証履歴テーブルの構成例を示す説明図である。
【図４】ＨＤＣＰ認証に失敗した場合に、認証履歴テーブルを用いて解像度を変更してＨＤＣＰ認証を行う実施例２の処理動作を説明するためのフローチャートである。
【図５】ＨＤＣＰ認証に失敗した場合に、最も低い解像度に下げてＨＤＣＰ認証を行う実施例３の処理動作を説明するためのフローチャートである。
【符号の説明】
【００７９】
１  制御部
１ａ  ＣＰＵ
１ｂ  メモリ部
１ｃ  カウンタ
２  アンテナ
３  チューナ
４  信号処理部
４ａ  ＤＶＩ端子
５  ディスク読書部
６  リモコン受信部
７  表示部
８  操作部
９  ハードディスク（ＨＤ）
１１  記憶部
３０  ＤＶＩテレビ
３０ａ  ＤＶＩ端子
４０  ＤＶＩケーブル
【図１】
2009027588.tif 000003
【図２】
2009027588.tif 000004
【図３】
2009027588.tif 000005
【図４】
2009027588.tif 000006
【図５】
2009027588.tif 000007